(57)【要約】【課題】  特定商品用のアイキャッチャー部の動的状態を様々な条件下で効果的に制御することができる自動販売機システムを提供する。【解決手段】  複数の商品を販売する自動販売機１００と、自動販売機１００にネットワーク１０を介して接続されたサーバ２００と、を備えた自動販売機システムであって、自動販売機１００は、販促対象商品を陳列する、ユーザの目線位置に設けられた展示ユニット３１０と、展示ユニット３１０の商品周囲に設けられた照明部１３０と、照明部１３０を点灯点滅制御するプログラム１０４を記憶するプログラム格納部１０８と、プログラム１０４を実行する実行部１２８と、プログラム１０４をサーバ２００から受信するプログラム受信部１０６と、を含み、サーバ２００は、プログラム１０４を複数種類格納するプログラム格納部２０６と、プログラム１０４を自動販売機１００に送信するプログラム送信部２０８と、を含む。【選択図】      図５
2006106860.tif 000002
【特許請求の範囲】
【請求項１】
複数の商品を陳列する前面パネルを有する自動販売機と、前記自動販売機とネットワークを介して接続されたサーバと、を備えた自動販売機システムであって、
前記自動販売機は、
前記複数の商品の中から選択された数点の商品を陳列する、ユーザの目線位置に設けられた展示ユニット部と、
前記展示ユニット部の前記数点の商品の周囲に設けられたアイキャッチャー部と、
前記アイキャッチャー部に所定のパターンで動作制御を行う動作制御プログラムを複数記憶するプログラム記憶部と、
実行する前記動作制御プログラムを指定する実行指示コマンドを前記ネットワークを介して前記サーバから受信するコマンド受信部と、
前記コマンド受信部が受信した前記実行指示コマンドにしたがって、前記動作制御プログラムを実行する実行部と、
を含み、
前記サーバは、
各前記動作制御プログラムの実行を前記自動販売機に指示する実行指示コマンドに、所定の指示条件を対応付けて記憶する指示条件テーブルと、
前記指示条件が成立したか否かを検知する検知部と、
前記指示条件テーブルにアクセスし、前記検知部が検知した前記指示条件に対応する前記実行指示コマンドを判別する判別部と、
前記判別部が判別した前記実行指示コマンドを前記自動販売機に送信するコマンド送信部と、
を含むことを特徴とする自動販売機システム。
【請求項２】
請求項１に記載の自動販売機システムにおいて、
前記サーバは、
前記動作制御プログラムを格納するプログラム格納部と、
前記動作制御プログラムを前記自動販売機に送信するプログラム送信部と、を含み、
前記自動販売機は、
前記動作制御プログラムを前記ネットワークを介して前記サーバから受信し、前記プログラム記憶部に記憶するプログラム受信部を含むことを特徴とする自動販売機システム。
【請求項３】
請求項１または２に記載の自動販売機システムにおいて、
前記サーバは、
前記自動販売機に前記動作制御プログラムを実行させる所定の実行条件に、前記動作制御プログラムを対応付けて記憶する実行条件テーブルを格納するテーブル格納部と、
前記実行条件テーブルを前記自動販売機に送信するテーブル送信部と、
を含み、
前記自動販売機は、
前記実行条件テーブルを受信するテーブル受信部と、
前記テーブル受信部が受信した前記実行条件テーブルを記憶するテーブル記憶部と、
前記実行条件が成立したか否かを検知する検知部と、
前記テーブル記憶部にアクセスし、前記実行条件テーブルを参照し、前記検知部が検知した前記実行条件に対応する前記動作制御プログラムを判別する判別部と、
を含み、
前記自動販売機において、前記実行部は、前記検知部が所定の条件の成立を検知したとき、前記動作制御プログラムを実行することを特徴とする自動販売機システム。
【請求項４】
請求項１乃至３いずれかに記載の自動販売機システムにおいて、
前記自動販売機の前記アイキャッチャー部は、複数の光源部を含み、
前記動作制御プログラムは、前記複数の光源部に所定のパターンで点灯点滅制御を行う光制御プログラムを含むことを特徴とする自動販売機システム。
【請求項５】
請求項１乃至４に記載の自動販売機システムにおいて、
前記自動販売機の前記アイキャッチャー部は、少なくとも一部分が回転または揺動する揺動部を含み、
前記動作制御プログラムは、前記揺動部に所定のパターンで揺動制御を行う揺動制御プログラムを含むことを特徴とする自動販売機システム。
【請求項６】
請求項１乃至５いずれかに記載の自動販売機システムにおいて、
前記自動販売機は、
前記動作制御プログラムによって制御される音声出力部を含み、
前記動作制御プログラムは、前記音声出力部から出力される音声の音声制御プログラムを含むことを特徴とする自動販売機システム。
【請求項７】
請求項１乃至６いずれかに記載の自動販売機システムにおいて、
前記サーバは、
前記動作制御プログラムを前記自動販売機に送信する所定の送信条件に、前記動作制御プログラムを対応付けて記憶する送信条件テーブルと、
前記所定の送信条件を満たしているかを検知する検知部と、
前記送信条件テーブルにアクセスし、前記検知部で検知された前記送信条件に対応する前記動作制御プログラムを判別する判別部と、
を含み、
前記サーバの前記プログラム送信部は、前記判別部が判別した前記動作制御プログラムを前記自動販売機に前記ネットワークを介して送信することを特徴とする自動販売機システム。
【請求項８】
請求項１乃至７いずれかに記載の自動販売機システムにおいて、
前記サーバは、
前記動作制御プログラムを前記自動販売機に実行させる所定の指示条件に、前記動作制御プログラムの実行指示コマンドを対応付けて記憶する指示条件テーブルと、
前記所定の指示条件を満たしているかを検知する検知部と、
前記指示条件テーブルにアクセスし、前記検知部で検知された前記指示条件に対応する前記実行指示コマンドを判別する判別部と、
前記自動販売機に前記実行指示コマンドを送信するコマンド送信部と、
を含み、
前記自動販売機は、
前記実行指示コマンドを前記サーバから受信するコマンド受信部と、
前記実行指示コマンドに前記動作制御プログラムを対応付けて記憶するコマンドテーブルと、
を含み、
前記サーバの前記コマンド送信部は、前記判別部が判別した前記実行指示コマンドを前記自動販売機に前記ネットワークを介して送信し、
前記自動販売機の前記判別部は、前記コマンドテーブルにアクセスし、前記コマンド受信部が受信した前記実行指示コマンドに対応する前記動作制御プログラムを判別することを特徴とする自動販売機システム。
【請求項９】
少なくとも一つの商品を陳列する自動販売ユニットと、前記自動販売ユニットとネットワークを介して接続されたサーバと、を備えた自動販売システムであって、
前記自動販売ユニットは、
前記商品の周囲に設けられたアイキャッチャー部と、
前記アイキャッチャー部に所定のパターンで動作制御を行う動作制御プログラムを複数記憶するプログラム記憶部と、
実行する前記動作制御プログラムを指定する実行指示コマンドを前記ネットワークを介して前記サーバから受信するコマンド受信部と、
前記コマンド受信部が受信した前記実行指示コマンドにしたがって、前記動作制御プログラムを実行する実行部と、
を含み、
前記サーバは、
各前記動作制御プログラムの実行を前記自動販売ユニットに指示する実行指示コマンドに、所定の指示条件を対応付けて記憶する指示条件テーブルと、
前記指示条件が成立したか否かを検知する検知部と、
前記指示条件テーブルにアクセスし、前記検知部が検知した前記指示条件に対応する前記実行指示コマンドを判別する判別部と、
前記判別部が判別した前記実行指示コマンドを前記自動販売ユニットに送信するコマンド送信部と、
を含むことを特徴とする自動販売システム。
【請求項１０】
請求項９に記載の自動販売システムにおいて、
前記サーバは、
前記動作制御プログラムを格納するプログラム格納部と、
前記動作制御プログラムを前記自動販売ユニットに送信するプログラム送信部と、を含み、
前記自動販売ユニットは、
前記動作制御プログラムを前記ネットワークを介して前記サーバから受信し、前記プログラム記憶部に記憶するプログラム受信部を含むことを特徴とする自動販売システム。
【請求項１１】
請求項９または１０に記載の自動販売システムにおいて、
前記自動販売ユニットは、複数の商品を陳列する前面パネルを有する自動販売機に着脱可能に設けられることを特徴とする自動販売機システム。
【発明の詳細な説明】
【技術分野】
【０００１】
本発明は、自動販売機システムに関し、特に、アイキャッチャー部を有する自動販売機におけるアイキャッチャー部の動的状態を制御するシステムに関する。
【背景技術】
【０００２】
自動販売機は無人で商品を販売するため、新製品などキャンペーン中の商品などの販売促進を図る場合、顧客にそれらの商品をアピールすることが非常に難しく、如何にアピールするかが課題となっている。そのため、自動販売機の前面パネルにシールを添付したり、あるいは特定の商品のみを別途陳列させるユニットを設けたりする工夫も多く見られる。このようなユニットとしては、顧客が商品を購入するために硬貨を投入したとき、それをトリガとしてユニット内に設けられた照明を点灯点滅制御したり、音声を出力したり、パネルを揺動させたりするものもある。
【０００３】
また、近年、自動販売機のネットワーク化が進み、従来、懸案となっていた販売状況のリアルタイムな把握が可能となってきつつある。自動販売機はネットワークを介して管理サーバと接続され、サーバにより商品販売に関する情報の管理が行われる。このような自動販売機管理システムとしては、例えば特許文献１に記載されたものがある。
【特許文献１】特開２００３−１０９０７６号公報
【発明の開示】
【発明が解決しようとする課題】
【０００４】
しかしながら、従来の自動販売機管理システムでは、商品の販売促進を図るための工夫を遠隔からの操作によって実現することは考慮されていない。したがって、自動販売機毎に現場に作業員が出向いてシールを添付したり、ユニットを設けたりする必要があり、人件費などのコストがかかるといった問題点があった。また、一旦、シールが添付されたり、ユニットが設けられたりした後は、自動販売機の周囲の状況が変化しても、その変化にリアルタイムに追従させて、販促効果を向上させるようなことはできなかった。
【０００５】
本発明は上記事情に鑑みてなされたものであり、その目的とするところは、特定の商品を注目させるためのアイキャッチャー部を有する自動販売機において、アイキャッチャー部の動的状態を様々な条件下で効果的に制御することができる自動販売機システムを提供することにある。
【課題を解決するための手段】
【０００６】
本発明によれば、複数の商品を陳列する前面パネルを有する自動販売機と、前記自動販売機とネットワークを介して接続されたサーバと、を備えた自動販売機システムであって、
前記自動販売機は、
前記複数の商品の中から選択された数点の商品を陳列する、ユーザの目線位置に設けられた展示ユニット部と、
前記展示ユニット部の前記数点の商品の周囲に設けられたアイキャッチャー部と、
前記アイキャッチャー部に所定のパターンで動作制御を行う動作制御プログラムを複数記憶するプログラム記憶部と、
実行する前記動作制御プログラムを指定する実行指示コマンドを前記ネットワークを介して前記サーバから受信するコマンド受信部と、
前記コマンド受信部が受信した前記実行指示コマンドにしたがって、前記動作制御プログラムを実行する実行部と、
を含み、
前記サーバは、
各前記動作制御プログラムの実行を前記自動販売機に指示する実行指示コマンドに、所定の指示条件を対応付けて記憶する指示条件テーブルと、
前記指示条件が成立したか否かを検知する検知部と、
前記指示条件テーブルにアクセスし、前記検知部が検知した前記指示条件に対応する前記実行指示コマンドを判別する判別部と、
前記判別部が判別した前記実行指示コマンドを前記自動販売機に送信するコマンド送信部と、
を含むことを特徴とする自動販売機システムが提供される。
【０００７】
ここで、展示ユニット部とは、通常の商品陳列用のカラムとは別途設けられ、特に顧客の注目を引くためにユーザの目線位置の前面パネル上に設けられるものである。目線位置とは、たとえば、ユーザが自動販売機の前に立ったときの目線の位置のみでなく、硬貨投入口や媒体読取部など商品を購入する際、ユーザの目線が及ぶ範囲を含む。また、アイキャッチャー部とは、たとえば、展示ユニット部内の商品の周囲に設けられた点灯点滅する色とりどりの電球を含む光源部や、アイキャッチャー用のパネルなどの少なくとも一部が回転または揺動する揺動部、あるいはこれらと協働して音声を出力する音声出力部である。
【０００８】
また、動作制御プログラムは、サーバからの指示にしたがって展示ユニット部のアイキャッチャー部のたとえば、光源部の光の点灯色やその色変化、点灯点滅のパターンを制御したり、揺動部の回転または揺動の動作パターンを制御したり、音声出力部の音声出力を制御する。
【０００９】
この発明によれば、特定商品にユーザの注目を向けさせるアイキャッチャー部の動的状態を効果的に制御することができる。ここで、アイキャッチャー部の動的状態とは、たとえば、光源部の点灯色やその色変化、点灯点滅状態を言う。たとえば、商品には、それぞれイメージに合った色などがあるが、特に注目させたい商品のイメージに合った色の光源部を点灯点滅させるなどの制御を遠隔から行うことにより、より効果的に特定商品への注目度を向上させることが可能となる。
【００１０】
上記自動販売機システムにおいて、前記サーバは、前記動作制御プログラムを格納するプログラム格納部と、前記動作制御プログラムを前記自動販売機に送信するプログラム送信部と、を含むことができ、前記自動販売機は、前記動作制御プログラムを前記ネットワークを介して前記サーバから受信し、前記プログラム記憶部に記憶するプログラム受信部を含むことができる。
【００１１】
この構成によれば、サーバから自動販売機に遠隔から動作制御プログラムを更新したり追加したりすることが可能となり、アイキャッチャー部の動的状態を効果的に制御することが可能となる。
【００１２】
上記自動販売機システムにおいて、前記サーバは、前記自動販売機に前記動作制御プログラムを実行させる所定の実行条件に、前記動作制御プログラムを対応付けて記憶する実行条件テーブルを格納するテーブル格納部と、前記実行条件テーブルを前記自動販売機に送信するテーブル送信部と、を含み、前記自動販売機は、前記実行条件テーブルを受信するテーブル受信部と、前記テーブル受信部が受信した前記実行条件テーブルを記憶するテーブル記憶部と、前記実行条件が成立したか否かを検知する検知部と、前記テーブル記憶部にアクセスし、前記実行条件テーブルを参照し、前記検知部が検知した前記実行条件に対応する前記動作制御プログラムを判別する判別部と、を含み、前記自動販売機において、前記実行部は、前記検知部が所定の条件の成立を検知したとき、前記動作制御プログラムを実行することができる。
【００１３】
ここで、所定の実行条件の成立とは、たとえば、現金の投入などによる商品購入要求の受け付け、購入商品選択の受け付け、サーバからの指示の受信、所定の日時、期間、時間帯、周囲の天候、イベント開催の有無、販売待機中など、様々な条件を含むことができる。実行部は、これらの実行条件が成立したときにアイキャッチャー部の動作を制御するプログラムを実行する。
【００１４】
この構成によれば、サーバから実行条件テーブルを受信して、その実行条件にしたがって、動作制御プログラムを実行することができるので、遠隔から自動販売機のアイキャッチャー部の動的状態を効果的に制御することが可能となる。また、展示ユニット内のアイキャッチャーの動作の制御を、様々な条件にしたがって行うことが可能となり、適切な条件で効果的に顧客訴求を図ることができる。
【００１５】
上記自動販売機システムにおいて、前記自動販売機の前記アイキャッチャー部は、複数の光源部を含むことができ、前記動作制御プログラムは、前記複数の光源部に所定のパターンで点灯点滅制御を行う光制御プログラムを含むことができる。
【００１６】
ここで、数点の商品の周囲に設けられた複数の光源部とは、たとえば、複数色の複数のＬＥＤ表示器群から構成され、各商品を色とりどりに点灯点滅してライトアップするものである。あるいは、複数の光源部は、数点の商品の背面パネルの裏側に設けられ、背面パネル越しに商品に間接的に照明を当てるものであってもよい。
【００１７】
上記自動販売機システムにおいて、前記自動販売機の前記アイキャッチャー部は、少なくとも一部分が回転または揺動する揺動部を含むことができ、前記動作制御プログラムは、前記揺動部に所定のパターンで揺動制御を行う揺動制御プログラムを含むことができる。
【００１８】
上記自動販売機システムにおいて、前記自動販売機は、前記動作制御プログラムによって制御される音声出力部を含むことができ、前記動作制御プログラムは、前記音声出力部から出力される音声の音声制御プログラムを含むことができる。
【００１９】
上記自動販売機システムにおいて、前記サーバは、前記動作制御プログラムを前記自動販売機に送信する所定の送信条件に、前記動作制御プログラムを対応付けて記憶する送信条件テーブルと、前記所定の送信条件を満たしているかを検知する検知部と、前記送信条件テーブルにアクセスし、前記検知部で検知された前記送信条件に対応する前記動作制御プログラムを判別する判別部と、を含むことができ、前記サーバの前記プログラム送信部は、前記判別部が判別した前記動作制御プログラムを前記自動販売機に前記ネットワークを介して送信することができる。
【００２０】
この構成によれば、所定の条件にしたがって、新たに自動販売機にプログラムを送信することができるので、様々な条件下で、効果的にアイキャッチャー部の動作を制御させることが遠隔にて可能となる。
【００２１】
上記自動販売機システムにおいて、前記サーバは、前記動作制御プログラムを前記自動販売機に実行させる所定の指示条件に、前記動作制御プログラムの実行指示コマンドを対応付けて記憶する指示条件テーブルと、前記所定の指示条件を満たしているかを検知する検知部と、前記指示条件テーブルにアクセスし、前記検知部で検知された前記指示条件に対応する前記実行指示コマンドを判別する判別部と、前記自動販売機に前記実行指示コマンドを送信するコマンド送信部と、を含むことができ、前記自動販売機は、前記実行指示コマンドを前記サーバから受信するコマンド受信部と、前記実行指示コマンドに前記動作制御プログラムを対応付けて記憶するコマンドテーブルと、を含むことができ、前記サーバの前記コマンド送信部は、前記判別部が判別した前記実行指示コマンドを前記自動販売機に前記ネットワークを介して送信し、前記自動販売機の前記判別部は、前記コマンドテーブルにアクセスし、前記コマンド受信部が受信した前記実行指示コマンドに対応する前記動作制御プログラムを判別することができる。
【００２２】
この構成によれば、様々な条件に応じて出される遠隔のサーバからの指示にしたがって、自動販売機の展示ユニット部のアイキャッチャー部の動的状態を効果的に制御することができる。
【００２３】
本発明によれば、少なくとも一つの商品を陳列する自動販売ユニットと、前記自動販売ユニットとネットワークを介して接続されたサーバと、を備えた自動販売システムであって、
前記自動販売ユニットは、
前記商品の周囲に設けられたアイキャッチャー部と、
前記アイキャッチャー部に所定のパターンで動作制御を行う動作制御プログラムを複数記憶するプログラム記憶部と、
実行する前記動作制御プログラムを指定する実行指示コマンドを前記ネットワークを介して前記サーバから受信するコマンド受信部と、
前記コマンド受信部が受信した前記実行指示コマンドにしたがって、前記動作制御プログラムを実行する実行部と、
を含み、
前記サーバは、
各前記動作制御プログラムの実行を前記自動販売ユニットに指示する実行指示コマンドに、所定の指示条件を対応付けて記憶する指示条件テーブルと、
前記指示条件が成立したか否かを検知する検知部と、
前記指示条件テーブルにアクセスし、前記検知部が検知した前記指示条件に対応する前記実行指示コマンドを判別する判別部と、
前記判別部が判別した前記実行指示コマンドを前記自動販売ユニットに送信するコマンド送信部と、
を含むことを特徴とする自動販売システムが提供される。
【００２４】
ここで、自動販売ユニットは、自動販売機の中に組み込むこともできるが、その他、単独で設置することもできる。設置場所としては、たとえば、コンビニエンスストアのレジ裏に配置されている什器における一般にフェースと呼ばれている商品展示枠、コンビニエンスストアやスーパーなどの冷蔵庫内などの商品毎に陳列スペースが区分けされている商品展示スペースであってもよい。また、通常の商品棚など予め仕切りが設けられていない商品展示スペースであってもよい。
【００２５】
この発明によれば、特定商品にユーザの注目を向けさせるアイキャッチャー部の動的状態を効果的に制御することができる自動販売ユニットが提供される。
【００２６】
上記自動販売システムにおいて、前記サーバは、前記動作制御プログラムを格納するプログラム格納部と、前記動作制御プログラムを前記自動販売ユニットに送信するプログラム送信部と、を含むことができ、前記自動販売ユニットは、前記動作制御プログラムを前記ネットワークを介して前記サーバから受信し、前記プログラム記憶部に記憶するプログラム受信部を含むことができる。
【００２７】
この構成によれば、サーバから自動販売ユニットに遠隔から動作制御プログラムを更新したり追加したりすることが可能となり、アイキャッチャー部の動的状態を効果的に制御することが可能となる。
【００２８】
上記自動販売システムにおいて、前記自動販売ユニットは、複数の商品を陳列する前面パネルを有する自動販売機に着脱可能に設けられることができる。
【００２９】
この構成によれば、特定商品にユーザの注目を向けさせる自動販売ユニットを自動販売機に取り付けるだけで、自動販売機の販売支援ツールとして機能させることが可能となる。このように、ユニットは自動販売機から着脱可能なので、アイキャッチャー部の構成の変更、たとえば、照明部から揺動部への変更や、ユニットの交換などが容易にできる。
【００３０】
なお、以上の構成要素の任意の組合せ、本発明の表現を方法、装置、システム、記録媒体、コンピュータプログラムなどの間で変換したものもまた、本発明の態様として有効である。
【発明の効果】
【００３１】
本発明によれば、特定の商品を注目させるためのアイキャッチャー部の動的状態を様々な条件下で効果的に制御することができる自動販売機システムが提供される。
【発明を実施するための最良の形態】
【００３２】
以下、本発明の実施の形態について、図面を用いて説明する。尚、すべての図面において、同様な構成要素には同様の符号を付し、適宜説明を省略する。
【００３３】
図１は、本発明の実施形態に係る自動販売機システムの概略ネットワーク構成を示すブロック図である。本実施形態の自動販売機システムは、複数の自動販売機１００と、これらの自動販売機１００とインターネットなどのネットワーク１０を介して接続されたサーバ２００と、を備える。自動販売機１００とネットワーク１０間の通信は、有線通信および無線通信の何れでもよい。なお、以下に説明する各図において、本発明の本質に関わらない部分の構成については省略してあり、図示されていない。
【００３４】
自動販売機１００で販売される商品は、食品、飲料、たばこ、ゲームソフト、雑誌などであってよい。本実施形態の自動販売機１００は、これらの商品の中から特に、選択された数点の商品を陳列し、ユーザの目線位置に設けられた展示ユニット部５０を含む。目線位置とは、たとえば、ユーザが自動販売機の前に立ったときの目線の位置のみでなく、硬貨投入口や媒体読取部など商品を購入する際、ユーザの目線が及ぶ範囲を含む。サーバ２００は、ネットワーク１０を介して接続される各自動販売機１００の展示ユニット部５０内に商品の周囲に設けられたアイキャッチャー部６０の動的状態を制御する。
【００３５】
ここで、アイキャッチャー部６０の動的状態とは、たとえば、アイキャッチャー部６０に照明部を設けた場合、照明部の点灯色やその色変化、点灯点滅状態を言う。あるいは、アイキャッチャー部６０に回転または揺動するパネル部を設けた場合、パネル部の回転または揺動状態を指す。これらの形態については、後述する。あるいは、これらの動的状態に伴い出力される音声出力状態も含むことができる。
【００３６】
図２は、本実施形態に係る自動販売機１００の外観の一例を示す正面図である。この自動販売機１００には、前面パネル３００にサンプル見本３０１が設けられ、商品サンプルが複数陳列されている。この自動販売機１００はＩＣカード（不図示）による商品の購入だけでなく、現金による商品の購入も可能となっており、さらに、ＩＣカードの残高不足分を現金で充当する方法で商品を購入することも可能である。このため、前面パネル３００に、ＩＣカードをユーザがかざし、ＩＣカードから情報を読み取るＩＣカード読取部３０５とともに札投入口３０２、釣銭戻しレバー３０３、硬貨投入口３０４が設けられている。そして、現金を使用した場合の釣銭を取り出すための釣銭口３０８が設けられている。購入した商品は商品搬出口３０９から取り出す。
【００３７】
なお、ＩＣカード使用手順等については、液晶表示器３０６（図中、「表示器」と示す）によりナビゲートがなされる。また、投入金額なども液晶表示器３０６に表示される。なお、投入金額の表示などは、液晶表示器に替えてＬＥＤ表示器などによる表示部を用いることもできる。
【００３８】
本実施形態の自動販売機１００は、さらに、サンプル見本３０１とは別途設けられ、特に顧客の注目を引くためにユーザの目線位置に設けられた展示ユニット３１０を含む。展示ユニット３１０は、数点のターゲットとなる商品を展示するターゲット見本展示部３１４と、それらの商品に関連するポスターを展示するポスター展示部３１２と、ターゲット商品を購入するとき押下するターゲット商品選択ボタン３１６と、を含む。
【００３９】
図３は、本実施形態の展示ユニット３１０のターゲット見本展示部３１４の概略構造を示す斜視図である。図３（ａ）は、ターゲット見本展示部３１４を正面から見た状態、図３（ｂ）は、ターゲット見本展示部３１４を背面から見た状態、図３（ｃ）は、ターゲット見本展示部３１４の裏蓋を開けた状態を示している。
【００４０】
ターゲット見本展示部３１４は、矩形の正面開口部を有する枠体４０２と、枠体４０２の裏面を覆い、ヒンジ４０６にて開閉可能に設けられた裏蓋４０４と、裏蓋４０４を枠体４０２に係止させる係止位置および開放位置にスライド可能に設けられたラッチ４０８と、裏蓋４０４を閉じたとき、ラッチ４０８を係止位置にスライドさせたときラッチ４０８と係合する係合溝４１０と、ターゲット見本展示部３１４を自動販売機１００の前面パネル３００に固定するための係止片４１２と、が設けられている。さらに、ターゲット見本展示部３１４は、自動販売機１００に電気的に接続する多極コネクタ４１４を備え、自動販売機１００からターゲット見本展示部３１４に電源が供給されるとともに、後述する照明部などのアイキャッチャー部６０への制御信号の伝達が行われる。
【００４１】
さらにターゲット見本展示部３１４は、図３（ｃ）に示すように、裏蓋４０４の内面に数点のターゲット見本４００（ここでは、３個）を収容する商品保持体４２０と、ターゲット見本４００の周囲に設けられた照明部４３０と、を含む。図４は、ターゲット見本展示部３１４を正面から見た図である。ターゲット見本展示部３１４のターゲット見本４００の下方部には、ターゲット見本４００の商品紹介などのポスターを添付する商品パネル４２２と、各ターゲット見本４００を購入する際、押下するターゲット商品選択ボタン３１６と、が設けられている。
【００４２】
また、図４に示した例では、照明部４３０をターゲット見本展示部３１４のターゲット見本４００の周囲に設けた構成としたが、これに限定されない。図１５（ｂ）に示すように、ターゲット見本展示部３１４のターゲット見本４００の背面に設けられたパネルの後ろ側に、照明設置部４５０を設け、照明設置部４５０は、複数色のＬＥＤ表示器、たとえば、白色（図中、「Ｗ」と示す）、緑色（図中、「Ｇ」と示す）、赤色（図中、「Ｒ」と示す）、黄色（図中、「Ｙ」と示す）の４つのＬＥＤ表示器を有する複数の照明部４５２（図中、「Ｌ１１」、「Ｌ１２」、「Ｌ２１」、「Ｌ２２」、「Ｌ３１」、「Ｌ３２」と示す）と、ターゲット商品選択ボタン３１６の背面に位置する３つの照明部４５４（図中、「Ｌ１３」、「Ｌ２３」、「Ｌ３３」と示す）と、を含むことができる。商品パネル４２２の背面の位置に照明部を設けることもできる。
【００４３】
この形態において、プログラム１０４は、各ＬＥＤ表示器の点灯点滅を制御することにより、ターゲット見本４００を背面から色とりどりに照明を当てて注目度を効果的に向上させることが可能となる。
【００４４】
図５は、本実施形態の自動販売機システムの構成を示す概略機能ブロック図である。自動販売機システムの各構成要素は、任意のコンピュータのＣＰＵ、メモリ、メモリにロードされた図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００４５】
自動販売機１００は、インタフェース部１０２と、プログラム受信部１０６と、プログラム格納部１０８と、コマンド受信部１１０と、商品購入受付部１１２と、商品選択受付部１１４と、時計１１６と、センサ１１８と、検知部１２０と、テーブル記憶部１２４と、判別部１２６と、実行部１２８と、照明部１３０と、照明制御部１３２と、スピーカ１３４と、音声制御部１３６と、を含む。
【００４６】
インタフェース部１０２は、サーバ２００とネットワーク１０を介して通信を行うためのものである。プログラム受信部１０６は、サーバ２００からネットワーク１０を介してプログラムを受信する。プログラム格納部１０８は、自動販売機１００のアイキャッチャー部６０の動的状態を制御する複数のプログラム１０４を記憶する。たとえば、各プログラム１０４は、図４のターゲット見本展示部３１４に設けられた複数のＬＥＤ表示器から構成される照明部４３０の各ＬＥＤ表示器を所定の点灯点滅のパターンで制御する。サーバ２００からの指示にしたがって実行されるプログラム１０４が決まり、プログラム１０４が照明部４３０の各ＬＥＤ表示器の点灯点滅パターンを制御することで、ユーザのアイキャッチャー部６０への注目度を効果的に向上させることができる。
【００４７】
また、図１５に示す例では、各プログラム１０４は、ターゲット見本展示部３１４に設けられた複数色のＬＥＤ表示器から構成された照明部４５２の中の複数色のＬＥＤ表示器の点灯点滅させる色や色変化を所定の点灯点滅パターンで制御する。複数のプログラム１０４は、それぞれ異なるパターンで異なる制御を行うものである。すなわち、たとえば、パターン１のプログラム１０４は、青い色のＬＥＤ表示器をあるパターンで点灯点滅させるものあり、パターン２のプログラム１０４は、赤と青のＬＥＤ表示器をあるパターンで点灯点滅させるものであったりする。あるいは、パターン３のプログラム１０４は、黄色のＬＥＤ表示器をあるパターンで点灯点滅させるとともに、ある音楽を出力するものであったりする。
【００４８】
図５に戻り、コマンド受信部１１０は、自動販売機１００への動作制御を行うためのコマンドをサーバ２００からネットワーク１０を介して受信する。このコマンドは、異なるパターンの動作制御を行う複数のプログラム１０４の中から何れを実行部１２８に実行させるかを指示するものである。
【００４９】
商品購入受付部１１２は、ユーザが商品を購入するために、たとえば、ＩＣカードをＩＣカード読取部３０５にかざしたり、硬貨を硬貨投入口３０４に投入したりしたことを受け付ける。あるいは、プリペイドカードやお札の挿入を受け付けてもよい。あるいは、図示されない赤外線通信部を介して、携帯通信端末（不図示）から電子マネー決済を受け付けてもよい。商品選択受付部１１４は、ユーザが自動販売機１００のサンプル見本３０１の中から購入する商品を選択し、該当する商品選択ボタン、たとえば、図２のターゲット商品選択ボタン３１６を押下したことを受け付ける。
【００５０】
時計１１６は、現在の日時を計時し、検知部１２０に現在の日時を伝達する。センサ１１８は、たとえば、自動販売機１００の周囲の温度、湿度、風速、気圧、音量、光度などを計測する各種センサを含み、計測された結果を検知部１２０に伝達する。あるいは、センサ１１８は、人感センサであってもよい。
【００５１】
テーブル記憶部１２４は、実行条件テーブル１２２およびコマンドテーブル１２３を有する。図６は、テーブル記憶部１２４の実行条件テーブル１２２の構造の一例を示す図である。実行条件テーブル１２２には、プログラム１０４を実行する実行条件と、実行条件が成立した時、実行するプログラム１０４の種類と、が対応付けられている。たとえば、実行条件テーブル１２２には、現金の投入などによる商品購入要求の受け付け、購入商品選択の受け付け、サーバからの指示の受信、所定の日時、期間、時間帯、周囲の天候、イベント開催の有無、販売待機中など、様々な条件を含むことができる。これらの実行条件は、アイキャッチャー部６０の動的状態の制御を開始するトリガとなる。検知部１２０は、テーブル記憶部１２４にアクセスし、実行条件テーブル１２２を参照し、実行条件テーブル１２２に含まれる実行条件が成立しているかを検知する。
【００５２】
具体的には、検知部１２０は、商品購入受付部１１２が商品購入を受け付けたことを検知し、判別部１２６に通知する。さらに検知部１２０は、商品選択受付部１１４が商品選択を受け付けたことを検知し、受け付けた商品ボタン位置とともに、判別部１２６に伝達する。また、検知部１２０は、時計１１６から現在日時を取得し、実行条件テーブル１２２に指定されている日時、期間または時間、時間帯、などであるか否かを検知し、指定された時間である場合に、判別部１２６に伝達する。さらに、検知部１２０は、センサ１１８から各種計測結果を取得し、実行条件テーブル１２２に指定されている温度、湿度、風速、気圧、音量、光度などの設定値と比較し、指定範囲か否かを判定し、指定範囲内である場合に、判別部１２６に伝達する。
【００５３】
さらに、検知部１２０は、サーバ２００からコマンド受信部１１０を介して受信したコマンドを検知し、判別部１２６に通知する。判別部１２６は、この通知を受けると、テーブル記憶部１２４にアクセスし、コマンドテーブル１２３を参照し、サーバ２００から受信したコマンドによって実行すべきプログラム１０４の種類を判別する。図７は、テーブル記憶部１２４のコマンドテーブル１２３の構造の一例を示す図である。コマンドテーブル１２３は、サーバ２００から受信するコマンドと、実行するプログラムの種類（パターン）と、が対応付けられている。
【００５４】
また、判別部１２６は、検知部１２０が検知した各ユニットからのトリガが通知されると、テーブル記憶部１２４にアクセスし、実行条件テーブル１２２を参照し、通知されたトリガがどの条件のものかを判定し、対応するプログラム１０４の種類を判別する。
【００５５】
図５に戻り、実行部１２８は、判別部１２６で判別されたプログラム１０４をプログラム格納部１０８から読み出して実行する。各プログラム１０４は、照明制御部１３２を制御するプログラムを含み、プログラムに従って、たとえば、照明部１３０の点灯点滅や発色のパターンを照明制御部１３２が制御する。あるいは、プログラム１０４は、スピーカ１３４から出力される音声を制御するプログラムを含むこともでき、プログラム１０４に従って、たとえば、音声制御部１３６が所定の音声出力を制御し、スピーカ１３４を介して出力することもできる。ここで、所定の音声出力とは、予め準備された複数の音楽や、音声メッセージなどを出力することを言う。
【００５６】
サーバ２００は、インタフェース部２０２と、プログラム格納部２０６と、プログラム送信部２０８と、コマンド送信部２１０と、テーブル記憶部２１２と、操作受付部２２０と、時計２２２と、情報取得部２３０と、検知部２３２と、判別部２３４と、を含む。
【００５７】
インタフェース部２０２は、自動販売機１００とネットワーク１０を介して通信を行うためのものである。プログラム格納部２０６は、自動販売機１００が実行し、アイキャッチャー部６０の動的状態を制御するプログラム１０４を複数記憶する。プログラム送信部２０８は、後述する送信条件にしたがって、サーバ２００から自動販売機１００にプログラム格納部２０６に格納されているプログラム１０４を送信する。コマンド送信部２１０は、後述する指示条件にしたがって、サーバ２００から自動販売機１００に実行させるプログラム１０４を指示するコマンドを送信する。
【００５８】
テーブル記憶部２１２は、送信条件テーブル２１３および指示条件テーブル２１４を含む。図８および図９は、それぞれ送信条件テーブル２１３および指示条件テーブル２１４の構造の一例を示す図である。図８に示すように、送信条件テーブル２１３には、プログラム送信部２０８が自動販売機１００にプログラム１０４を送信する送信条件と、送信条件が成立した時、自動販売機１００に送信するプログラム１０４の種類（パターン）と、が対応付けられている。送信条件テーブル２１３に記憶されている送信条件は、自動販売機１００へのプログラム１０４送信のトリガとなる。
【００５９】
図９に示すように、指示条件テーブル２１４には、コマンド送信部２１０が自動販売機１００にコマンドを送信する指示条件と、指示条件が成立した時、自動販売機１００に送信するコマンドの種類と、が対応付けられている。指示条件テーブル２１４に記憶されている指示条件は、自動販売機１００へのプログラム１０４実行指示のトリガとなる。
【００６０】
図５に戻り、操作受付部２２０は、管理者が直接自動販売機１００に対し、送信すべきプログラム１０４またはコマンドを指定する操作を受け付け、検知部２３２に通知する。時計２２２は、現在の日時を計時し、検知部２３２に現在の日時を伝達する。情報取得部２３０は、インターネットなどのネットワーク２２８を介して各種情報を有する情報源のＷｅｂサーバ（図中、「情報源」と示す）２２６にアクセスし、必要な情報を入手し、検知部２３２に伝達する。情報とは、自動販売機１００周辺の天気情報、イベント開催情報、顧客動員数、自動販売機１００が設置されている店舗の売り上げ情報などを含むことができる。
【００６１】
検知部２３２は、テーブル記憶部２１２にアクセスし、送信条件テーブル２１３および指示条件テーブル２１４を参照し、送信条件および指示条件が成立しているかを検知する。具体的には、検知部２３２は、操作受付部２２０が操作を受け付けたことを検知し、判別部２３４に通知する。さらに検知部２３２は、時計２２２から現在日時を取得し、送信条件テーブル２１３および指示条件テーブル２１４に指定されている日時、期間または時間、時間帯、などであるか否かを検知し、指定された時間である場合に、判別部２３４に伝達する。さらに、検知部２３２は、情報取得部２３０が取得した情報が送信条件テーブル２１３および指示条件テーブル２１４の条件に含まれるか否かを検知し、含まれる場合、判別部２３４に伝達する。
【００６２】
判別部２３４は、検知部２３２が検知した各ユニットからのトリガが通知されると、テーブル記憶部２１２にアクセスし、送信条件テーブル２１３および指示条件テーブル２１４を参照し、通知されたトリガがどの条件のものかを判定し、対応するプログラム１０４の種類およびコマンドを判別する。
【００６３】
このように構成された自動販売機システムの動作について、以下に説明する。はじめに、自動販売機１００がある条件にしたがって、アイキャッチャー部６０の動的状態を制御する場合の動作について説明する。図１０は、本実施形態の自動販売機１００の動作の一例を示すフローチャートである。
【００６４】
まず、自動販売機１００において、検知部１２０がテーブル記憶部１２４にアクセスし、実行条件テーブル１２２を参照し、各実行条件が成立しているか否かを検知する（ステップＳ１１）。実行条件が成立していない場合（ステップＳ１１のＮＯ）、実行条件の成立の監視を続行する。
【００６５】
ステップＳ１１で成立した実行条件があった場合（ステップＳ１１のＹＥＳ）、判別部１２６が、テーブル記憶部１２４にアクセスし、実行条件テーブル１２２を参照し、検知された実行条件に対応するプログラム１０４の種類（パターン）を判別する（ステップＳ１３）。判別部１２６は、判別したプログラム１０４の種類を実行部１２８に通知し、実行部１２８はプログラム格納部１０８から該当するプログラム１０４を読み出して、実行する。実行されたプログラム１０４にしたがって、照明制御部１３２および音声制御部１３６が、照明部１３０の点灯点滅およびスピーカ１３４から音声出力を制御する（ステップＳ１５）。照明制御部１３２の制御にしたがって照明部１３０が点灯点滅し、音声制御部１３６の制御にしたがってスピーカ１３４から音声出力がなされる（ステップＳ１７）。その後、ステップＳ１１に戻る。
【００６６】
このように、本実施形態の自動販売機１００によれば、予め決められた実行条件にしたがって、実行するプログラム１０４を選択し、アイキャッチャー部６０の動的状態を制御することができるので、様々な適切な条件下で効果的に顧客訴求を図ることが可能となる。
【００６７】
図１１は、本実施形態の自動販売機１００がサーバ２００からの指示によって実行するプログラム１０４を選択して実行する場合の動作の一例を示すフローチャートである。まず、コマンド受信部１１０がサーバ２００からコマンドをインタフェース部１０２を介して受信すると、検知部１２０がそれを検知する（ステップＳ２１のＹＥＳ）。検知部１２０がサーバ２００からのコマンドの受信を検知しなかった場合は（ステップＳ２１のＮＯ）、図１０のステップＳ１１に進む。
【００６８】
検知部１２０がサーバ２００からのコマンド受信を検知した後、判別部１２６がテーブル記憶部１２４にアクセスし、コマンドテーブル１２３を参照し、サーバ２００から受信したコマンドによって実行すべきプログラム１０４の種類（パターン）を判別する（ステップＳ２３）。判別したプログラム１０４の種類が実行部１２８に通知され、図１０のステップＳ１５に進む。
【００６９】
このように、本実施形態の自動販売機１００によれば、サーバ２００からの指示にしたがって、実行するプログラム１０４を選択することができるので、たとえば、あるエリア内の複数の自動販売機１００に対してサーバ２００から指定したプログラム１０４を同時に実行させるような制御を遠隔から一括して行うことも可能となる。
【００７０】
次に、サーバ２００がある条件にしたがって、自動販売機１００のアイキャッチャー部６０の動的状態を制御するために、自動販売機１００が実行するプログラム１０４を指定したり、新たなプログラム１０４を送信したりする場合の動作について説明する。図１２は、サーバ２００の動作の一例を示すフローチャートである。
【００７１】
まず、サーバ２００において、検知部２３２がテーブル記憶部２１２にアクセスし、指示条件テーブル２１４を参照し、各指示条件が成立しているか否かを検知する（ステップＳ３１）。指示条件が成立していない場合（ステップＳ３１のＮＯ）、指示条件の成立の監視を続行する。
【００７２】
ステップＳ３１で成立した指示条件があった場合（ステップＳ３１のＹＥＳ）、判別部２３４が、テーブル記憶部２１２にアクセスし、指示条件テーブル２１４を参照し、検知された指示条件に対応するコマンドの種類を判別する（ステップＳ３３）。判別部２３４はコマンド送信部２１０に判別したコマンドを通知し、コマンド送信部２１０は通知されたコマンドをインタフェース部２０２を介して自動販売機１００に送信する（ステップＳ３５）。その後ステップＳ３１に戻る。
【００７３】
このようにして、送信されたコマンドは、上述したようにネットワーク１０を介して自動販売機１００により受信され、自動販売機１００のアイキャッチャー部６０の動的状態を制御することとなる。
【００７４】
図１３は、本実施形態のサーバ２００が新たなプログラム１０４を自動販売機１００に送信するときの動作の一例を示すフローチャートである。まず、サーバ２００において、検知部２３２がテーブル記憶部２１２にアクセスし、送信条件テーブル２１３を参照し、送信条件が成立しているか否かを検知する（ステップＳ４１）。送信条件が成立していない場合（ステップＳ４１のＮＯ）、送信条件の成立の監視を続行する。
【００７５】
ステップＳ４１で成立した送信条件があった場合（ステップＳ４１のＹＥＳ）、判別部２３４がテーブル記憶部２１２にアクセスし、送信条件テーブル２１３を参照し、検知された送信条件に対応するプログラム１０４の種類（パターン）を判別する（ステップＳ４３）。判別部２３４は、判別したプログラム１０４をプログラム送信部２０８に通知し、プログラム送信部２０８はプログラム格納部２０６から該当するプログラム１０４を読み出して、インタフェース部２０２を介して自動販売機１００に送信する（ステップＳ４５）。その後、ステップＳ４１に戻る。
【００７６】
このようにして、送信されたプログラム１０４は、上述したようにネットワーク１０を介して自動販売機１００により受信され、自動販売機１００のプログラム格納部１０８に格納される。これらの新たなプログラム１０４は、さらに、サーバ２００から更新された実行条件テーブル１２２およびテーブル記憶部１２４によって実行される。
【００７７】
以下に、実行条件テーブル１２２およびテーブル記憶部１２４を更新するための構成について説明する。図１４は、本実施形態の自動販売機システムの要部構成を示すブロック図である。
【００７８】
自動販売機１００は、サーバ２００からネットワーク１０を経由してインタフェース部１０２を介して新しい実行条件テーブル１２２およびコマンドテーブル１２３を受信するテーブル受信部１５０を含む。サーバ２００は、自動販売機１００に送信する実行条件テーブル１２２およびコマンドテーブル１２３を格納するテーブル記憶部２４０と、テーブル記憶部２４０に記憶された実行条件テーブル１２２およびコマンドテーブル１２３の更新を受け付ける更新受付部２４１と、更新受付部２４１で受け付けた更新指示にしたがってテーブル記憶部２４０の実行条件テーブル１２２およびコマンドテーブル１２３を更新するテーブル更新部２４２と、更新指示にしたがって更新された実行条件テーブル１２２およびコマンドテーブル１２３を自動販売機１００にインタフェース部１０２を介して送信するテーブル送信部２４４と、を含む。
【００７９】
このように構成された自動販売機システムによれば、自動販売機１００の実行条件テーブル１２２およびコマンドテーブル１２３をサーバ２００からの指示に基づいて更新することが可能となる。
【００８０】
以上説明したように、本実施形態の自動販売機システムによれば、特定の商品を注目させるためのアイキャッチャー部を有する自動販売機において、アイキャッチャー部の動的状態を様々な条件下で効果的に制御することができる。
【００８１】
なお、本実施形態の自動販売機システムにおいて、自動販売機１００のターゲット見本展示部３１４は、自動販売機１００から着脱可能な構成としたことにより、ターゲット見本展示部３１４のアイキャッチャー部６０の構成の変更が簡易に行える。アイキャッチャー部６０の動作も選択的に実行可能なプログラム１０４によって制御されるので、アイキャッチャー部６０の構成変更にも容易に対応することができることとなる。
【００８２】
以上、図面を参照して本発明の実施形態について述べたが、これらは本発明の例示であり、上記以外の様々な構成を採用することもできる。
【００８３】
たとえば、上記実施の形態において、アイキャッチャー部６０は、
【００８４】
さらに、アイキャッチャー部６０は、図１６に示すように、ターゲット見本４００の周囲に設けられた揺動パネル５００と、揺動パネル５００を支えるパネル支持軸５０２と、パネル支持軸５０２をターゲット見本展示部３１４に固定するとともに、パネル支持軸５０２に振動を伝達し、揺動パネル５００を揺動させるパネル固定部５０４と、を含む。パネル支持軸５０２は、振動を与えられることにより、揺動パネル５００を揺動させるような弾性を有する部材からなるのが好ましい。
【００８５】
図１７は、図１６のアイキャッチャー部６０の動的状態を制御するための構成を含む自動販売機１００の機能ブロック図である。自動販売機１００は、振動部５０６と、揺動制御部５０８と、を含む。振動部５０６は、パネル固定部５０４を介して揺動パネル５００を揺動させるようパネル固定部５０４に振動を与える。揺動制御部５０８は、実行部１２８によって実行されるプログラム１０４にしたがって、振動部５０６に所定のパターンで振動を起こさせるものである。
【００８６】
このように構成された自動販売機システムによれば、揺動パネルを各条件にしたがって動かすことができ、アイキャッチャー部６０の注目度を効果的に向上させることが可能となる。
【００８７】
さらに、他の実施形態において、図１８に示すように、ターゲット見本４００の背後に設けられた少なくとも一枚の回転パネル５１０と、回転パネル５１０の中心軸に設けられ、回転パネル５１０を回転させる回転軸５１２と、を含む。図１９は、図１８のアイキャッチャー部６０の動的状態を制御するための構成を含む自動販売機１００の機能ブロック図である。自動販売機１００は、モータ５１４と、回転制御部５１６と、を含む。モータ５１４は、回転パネル５１０の回転軸５１２に接続され、回転パネル５１０を回転させるものである。回転制御部５１６は、実行部１２８によって実行されるプログラム１０４にしたがって、モータ５１４の回転、たとえば回転速度や方向、回転時間を制御する。回転パネル５１０は、複数であってもよく、異なる直径や異なる形状のものを組合せ、それぞれ異なる回転制御を行うこともできる。
【００８８】
このように構成された自動販売機システムによれば、回転パネルを各条件にしたがって回転させることができ、アイキャッチャー部６０の注目度を効果的に向上させることが可能となる。
【００８９】
また、アイキャッチャー部６０は、ターゲット見本４００の背面に設けられた液晶表示器（不図示）と、液晶表示器に表示させる映像や画像のデータを記憶するデータ記憶部（不図示）と、を含むこともできる。この構成によれば、実行部１２８によって実行されたプログラム１０４にしたがって、液晶表示器に画像や映像を表示させることができる。また、アイキャッチャー部６０は、上述したような照明部、揺動部、回転部、音声出力部、液晶表示器などを組み合わせることもできる。
【００９０】
また、送信条件テーブル２１３および指示条件テーブル２１４は、複数の自動販売機１００に対して同じテーブルを用いてもよいし、自動販売機１００毎に設けることもできる。複数の自動販売機１００に対して同じテーブルを用いる場合は、たとえば、条件として、あるエリア内に含まれる自動販売機１００に対してプログラム１０４やコマンドを所定の時間帯に送信することを設定することもできる。あるいは、自動販売機１００毎にテーブルを設ける場合は、自動販売機１００のネットワーク１０上のアドレスと、条件テーブルとを対応付ける対応テーブル（不図示）を設け、判別部２３４が成立した条件が含まれる条件テーブルに対応する自動販売機１００のアドレスを対応テーブルから取得し、当該アドレスの自動販売機１００にプログラム送信部２０８またはコマンド送信部２１０がプログラム１０４またはコマンドを送信すればよい。
【００９１】
また、実行条件テーブル１２２、送信条件テーブル２１３、および指示条件テーブル２１４に含まれる条件は、複数の条件を論理和または論理積をとり、組み合わせて条件とすることもできる。
【００９２】
また、展示ユニット３１０は、上記実施の形態のように自動販売機１００の中に組み込んで使用することもできるが、その他、単独で設置することもできる。設置場所としては、たとえば、コンビニエンスストアのレジ裏に配置されている什器における一般にフェースと呼ばれている商品展示枠、コンビニエンスストアやスーパーなどの冷蔵庫内などの商品毎に陳列スペースが区分けされている商品展示スペースであってもよい。また、通常の商品棚など予め仕切りが設けられていない商品展示スペースであってもよい。
【図面の簡単な説明】
【００９３】
【図１】本発明の実施形態に係る自動販売機システムの概略ネットワーク構成を示すブロック図である。
【図２】図１の自動販売機の外観の一例を示す正面図である。
【図３】図１の展示ユニットのターゲット見本展示部の概略構造を示す斜視図である。
【図４】図３のターゲット見本展示部の正面図である。
【図５】図１の自動販売機システムの構成を示す概略機能ブロック図である。
【図６】図５の自動販売機のテーブル記憶部の実行条件テーブルの構造の一例を示す図である。
【図７】図５の自動販売機のテーブル記憶部のコマンドテーブルの構造の一例を示す図である。
【図８】図５のサーバのテーブル記憶部の送信条件テーブルの構造の一例を示す図である。
【図９】図５のサーバのテーブル記憶部の指示条件テーブルの構造の一例を示す図である。
【図１０】図５の自動販売機の動作の一例を示すフローチャートである。
【図１１】図５の自動販売機がサーバからの指示によって実行するプログラムを選択して実行する場合の動作の一例を示すフローチャートである。
【図１２】図５のサーバの動作の一例を示すフローチャートである。
【図１３】図５のサーバが新たなプログラムを自動販売機に送信するときの動作の一例を示すフローチャートである。
【図１４】図５の自動販売機システムの要部構成を示すブロック図である。
【図１５】本発明の他の実施形態に係る自動販売機のターゲット見本展示部を示す正面図である。
【図１６】本発明の他の実施形態に係る自動販売機のアイキャッチャー部の構造を示す概略図である。
【図１７】図１６の自動販売機のアイキャッチャー部の動作に係る構成を示す機能ブロック図である。
【図１８】本発明の他の実施形態に係る自動販売機のアイキャッチャー部の構造を示す概略図である。
【図１９】図１８の自動販売機のアイキャッチャー部の動作に係る構成を示す機能ブロック図である。
【符号の説明】
【００９４】
１０  ネットワーク
５０  展示ユニット部
６０  アイキャッチャー部
１００  自動販売機
１０２  インタフェース部
１０４  プログラム
１０６  プログラム受信部
１０８  プログラム格納部
１１０  コマンド受信部
１１２  商品購入受付部
１１４  商品選択受付部
１１６  時計
１１８  センサ
１２０  検知部
１２２  実行条件テーブル
１２３  コマンドテーブル
１２４  テーブル記憶部
１２６  判別部
１２８  実行部
１３０  照明部
１３２  照明制御部
１３４  スピーカ
１３６  音声制御部
１５０  テーブル受信部
２００  サーバ
２０２  インタフェース部
２０６  プログラム格納部
２０８  プログラム送信部
２１０  コマンド送信部
２１２  テーブル記憶部
２１３  送信条件テーブル
２１４  指示条件テーブル
２２０  操作受付部
２２２  時計
２２６  情報源
２２８  ネットワーク
２３０  情報取得部
２３２  検知部
２３４  判別部
２４０  テーブル記憶部
２４１  更新受付部
２４２  テーブル更新部
２４４  テーブル送信部
３００  前面パネル
３０１  サンプル見本
３０２  札投入口
３０３  釣銭戻しレバー
３０４  硬貨投入口
３０５  ＩＣカード読取部
３０６  液晶表示器
３０８  釣銭口
３０９  商品搬出口
３１０  展示ユニット
３１２  ポスター展示部
３１４  ターゲット見本展示部
３１６  ターゲット商品選択ボタン
４００  ターゲット見本
４０２  枠体
４０４  裏蓋
４０６  ヒンジ
４０８  ラッチ
４１０  係合溝
４１２  係止片
４１４  多極コネクタ
４２０  商品保持体
４２２  商品パネル
４３０  照明部
４５０  照明設置部
４５２  照明部
４５４  照明部
５００  揺動パネル
５０２  パネル支持軸
５０４  パネル固定部
５０６  振動部
５０８  揺動制御部
５１０  回転パネル
５１２  回転軸
５１４  モータ
５１６  回転制御部
【図１】
2006106860.tif 000003
【図２】
2006106860.tif 000004
【図３】
2006106860.tif 000005
【図４】
2006106860.tif 000006
【図５】
2006106860.tif 000007
【図６】
2006106860.tif 000008
【図７】
2006106860.tif 000009
【図８】
2006106860.tif 000010
【図９】
2006106860.tif 000011
【図１０】
2006106860.tif 000012
【図１１】
2006106860.tif 000013
【図１２】
2006106860.tif 000014
【図１３】
2006106860.tif 000015
【図１４】
2006106860.tif 000016
【図１５】
2006106860.tif 000017
【図１６】
2006106860.tif 000018
【図１７】
2006106860.tif 000019
【図１８】
2006106860.tif 000020
【図１９】
2006106860.tif 000021